(57)【特許請求の範囲】
【請求項１】
遊技の演出に用いられる遊技部材であって、
前後方向と直交する第一方向に延びる支持柱を中心として、前方向及び前記前方向とは反対方向である後方向に回動可能であって、装飾用の板状部材が前側に固定された可動部と、
前記可動部の後側に設けられ、前記可動部を前記前方向に付勢する弾性力を有する弾性体と、
前記可動部から前記第一方向に離れた位置、且つ前記板状部材の後側に設けられ、前記第一方向に延びる回転軸を中心に回転する回転体と、
前記回転体から前記可動部に向かって前記第一方向に延び、且つ前記回転軸から前記第一方向と直交する第二方向に離れた位置に設けられた作用部とを備え、
前記作用部は、前記板状部材の後側において、前記回転体の回転に伴って第三方向及び前記第三方向とは反対方向である第四方向に回転し、且つ前記可動部に前側から接触する接触位置と前記可動部から離隔する離隔位置とに変位し、
前記作用部が前記接触位置にある状態で、前記作用部が前記第三方向に回転した場合、前記作用部は前記弾性体の弾性力に抗って、前記可動部を前記後方向に回動させることで、前記板状部材を前記後方向に回動させ、
前記作用部が前記接触位置にある状態で、前記作用部が前記第四方向に回転した場合、前記可動部は前記弾性体の弾性力に従って、前記第四方向に回転する前記作用部と共に前記前方向に回動することで、前記板状部材を前記前方向に回動させる
ことを特徴とする遊技部材。  
【請求項２】
前記第三方向に回転する前記作用部が前記接触位置から前記離隔位置に変位した場合、前記可動部は前記弾性体の弾性力に従って前記前方向に回動することを特徴とする請求項１に記載の遊技部材。
【請求項３】
前記可動部が前記弾性体の弾性力に従って所定位置まで前記前方向に回動した場合、前記可動部に接触して前記前方向への移動を規制することで、前記可動部を前記所定位置に保持する位置保持部を備えたことを特徴とする請求項１又は２に記載の遊技部材。
【請求項４】
請求項１から３の何れかに記載の遊技部材を備えた遊技機。
【発明の詳細な説明】
【技術分野】
【０００１】
本発明は、遊技演出を行う遊技部材及び遊技機に関する。
【背景技術】
【０００２】
従来、遊技演出を行う遊技部材を備えた遊技機が知られている（例えば、特許文献１参照）。特許文献１に開示の遊技機には、ソレノイドによる上下動とモータによる回転動とによって、人体を模した合成樹脂製の被覆部材を揺動させるメカニカル演出装置が開示されている。
【先行技術文献】
【特許文献】
【０００３】
【特許文献１】特開２０１３−１０２９７０号公報
【発明の概要】
【発明が解決しようとする課題】
【０００４】
上記の従来技術によれば、人体を模した被覆部材の一部が上下左右に揺動しているような印象を遊技者に与えることができる。しかしながら、遊技の興趣の向上させる観点から、より多彩な動きをする遊技演出を実行可能な遊技部材が望ましい。
【０００５】
本発明は、より多彩な動きをする遊技演出を実行可能な遊技部材及び遊技機を提供することを目的とする。
【課題を解決するための手段】
【０００６】
本発明の第一態様は、遊技の演出に用いられる遊技部材であって、前後方向と直交する第一方向に延びる支持柱を中心として、前方向及び前記前方向とは反対方向である後方向に回動可能であって、装飾用の板状部材が前側に固定された可動部と、前記可動部の後側に設けられ、前記可動部を前記前方向に付勢する弾性力を有する弾性体と、前記可動部から前記第一方向に離れた位置、且つ前記板状部材の後側に設けられ、前記第一方向に延びる回転軸を中心に回転する回転体と、前記回転体から前記可動部に向かって前記第一方向に延び、且つ前記回転軸から前記第一方向と直交する第二方向に離れた位置に設けられた作用部とを備え、前記作用部は、前記板状部材の後側において、前記回転体の回転に伴って第三方向及び前記第三方向とは反対方向である第四方向に回転し、且つ前記可動部に前側から接触する接触位置と前記可動部から離隔する離隔位置とに変位し、前記作用部が前記接触位置にある状態で、前記作用部が前記第三方向に回転した場合、前記作用部は前記弾性体の弾性力に抗って、前記可動部を前記後方向に回動させることで、前記板状部材を前記後方向に回動させ、前記作用部が前記接触位置にある状態で、前記作用部が前記第四方向に回転した場合、前記可動部は前記弾性体の弾性力に従って、前記第四方向に回転する前記作用部と共に前記前方向に回動することで、前記板状部材を前記前方向に回動させることを特徴とする。  
【０００７】
第一態様に係る遊技部材では、互いに反対方向である前方向及び後方向に回動可能な可動部が、弾性体の弾性力によって前方向に付勢される。回転体が回転軸を中心に回転するのに伴って、作用部は互いに反対方向である第三方向及び第四方向に回転することで、可動部に接触する接触位置と可動部から離隔する離隔位置とに変位する。作用部が接触位置にある状態で第三方向に回転した場合、作用部は弾性体の弾性力に抗って、可動部を後方向に回動させる。作用部が接触位置にある状態で第四方向に回転した場合、可動部は弾性体の弾性力に従って、第四方向に回転する作用部と共に前記前方向に回動する。従って遊技部材は、弾性体の弾性力を利用して可動部を回動できるため、より多彩な動きをする遊技演出を実行できる。
【０００８】
前記第三方向に回転する前記作用部が前記接触位置から前記離隔位置に変位した場合、前記可動部は前記弾性体の弾性力に従って前記前方向に回動してもよい。この場合、可動部を弾性体の弾性力によって、前方向へ瞬時に回動させることができる。
【０００９】
前記可動部が前記弾性体の弾性力に従って所定位置まで前記前方向に回動した場合、前記可動部に接触して前記前方向への移動を規制することで、前記可動部を前記所定位置に保持する位置保持部を備えてもよい。この場合、作用部が離隔位置にある場合に、前方向に付勢されている可動部を、位置保持部によって適正な位置に保持できる。
前記遊技部材を備えた遊技機でもよい。この場合、遊技機はより多彩な動きをする遊技演出を実行できる。
【図面の簡単な説明】
【００１０】
【図１】パチンコ機１の正面図である。
【図２】遊技盤２の正面図である。
【図３】可動役物３０を左前上方から見た斜視図である。
【図４】可動役物３０の部品展開図である。
【図５】可動アーム１４０が第一基準位置及び第二基準位置にある、上可動機構１００の正面図である。
【図６】図５の上可動機構１００を左前上方から見た斜視図である。
【図７】図５の上可動機構１００を右前上方から見た斜視図である。
【図８】可動アーム２３０が基準位置にある、下可動機構２００の左前上方から見た斜視図である。
【図９】図８の下可動機構２００から下支持部２０２を取り除いた斜視図である。
【図１０】下基部２０１を取り除いた、下可動機構２００の背面図である。
【図１１】上作動部１０４の状態遷移を示す平面図である。
【図１２】可動アーム１４０が第一基準位置から左側に揺動した、上可動機構１００の正面図である。
【図１３】可動アーム１４０が第一基準位置から右側に揺動した、上可動機構１００の正面図である。
【図１４】上作動部１０４の状態遷移を示す左側面図である。
【図１５】可動アーム１４０が第二基準位置から下側に揺動した、上可動機構１００の正面図である。
【図１６】下作動部２０３の状態遷移を示す説明図である。
【図１７】可動アーム２３０が進出位置にある、下可動機構２００の左前上方から見た斜視図である。
【図１８】図１７の下可動機構２００から下支持部２０２を取り除いた斜視図である。
【発明を実施するための形態】
【００１１】
本発明の一実施形態であるパチンコ機１について、図面を参照して説明する。以下の説明では、図１の手前側、奥側、上側、下側、左側、及び右側を、それぞれ、パチンコ機１の前側（正面側）、後側（背面側）、上側、下側、左側、及び右側とする。
【００１２】
（１．パチンコ機１の概略構造）
図１及び図２を参照し、パチンコ機１の概略構造を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１３】
遊技盤２の前面には、ガイドレール３で囲まれた略円形の遊技領域４が形成されている。発射機によって発射された遊技球は、遊技領域４内を流下する。遊技領域４の略中央に、枠状の装飾枠１４が配設されている。装飾枠１４の後方には、後述の可動役物３０が設けられている。装飾枠１４の中央下側に、第一始動口１５が設けられている。第一始動口１５の直下に、開閉部材を備えた第二始動口１６が設けられている。第二始動口１６は、開閉部材が開放された場合にのみ遊技球が入賞可能である。第二始動口１６の下側に、遊技領域４の中央下端部まで流下した遊技球を回収するアウト口１７が設けられる。
【００１４】
遊技盤２の後面側には、ＬＣＤ（液晶ディスプレイ）等で構成される表示面２７を有する画像表示装置２８が設けられている。表示面２７は、正面視で装飾枠１４の内側に設けられ、前方に向けて画像を表示可能である。表示面２７には、特別図柄に基づく当たり判定（大当たり判定）の結果を遊技者に報知するための複数のデモ図柄が表示される。複数のデモ図柄は、遊技球が第一始動口１５及び第二始動口１６のいずれかに入賞すると変動を開始し、その変動後に大当たり判定の結果に応じた組み合わせで確定表示される。
【００１５】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、及び制御プログラム等を記憶したＲＯＭが設けられている。サブ基板は、主基板と電気的に接続されている。サブ基板は、主基板と同様に、ＣＰＵ、ＲＡＭ、及びＲＯＭが設けられている。サブ基板は、主基板から送信されるコマンドに従って、演出に関する制御を行う。本例では、サブ基板は画像表示装置２８及びスピーカ４８等と連動して、可動役物３０を動作させる演出を実行可能である。
【００１６】
（２．可動役物３０の概略構造）
図３及び図４を参照して、可動役物３０の概略構造を説明する。図３の上側、下側、左下側、右上側、右下側、左上側を夫々、可動役物３０の上側、下側、左側、右側、前側、後側とする。本例の可動役物３０は、人体を模した演出用の部材であり、正面視で表示面２７の右側に配置される。遊技者はパチンコ機１の正面側から、表示面２７に表示される各種画像と、可動役物３０の演出動作とを同時に目視可能である。
【００１７】
可動役物３０は、可動機構４０、装飾カバー５０、カバー飾り６０、７０等を備える。装飾カバー５０は、可撓性を有するシート状の装飾物であり、本例では人体を模した形状で一体成型された膜状のゴム製品（ラバー）である。詳細には、装飾カバー５０は、人体の頭部及び腕部を除いた左半身を模しており、首部５０Ａ、胸部５０Ｂ、腰部５０Ｃ、左太腿部５０Ｄ、右大腿部５０Ｅを有する。胸部５０Ｂは前側に向かって丸みを帯びて突出している。首部５０Ａの前面には、ネジ穴５２が設けられる。胸部５０Ｂの突出端には、前後方向に貫通する連結穴５４が設けられる。腰部５０Ｃの前面には、左太腿部５０Ｄの上側に位置するネジ穴５３と、左太腿部５０Ｄと右大腿部５０Ｅとの間で前後方向に貫通する連結穴５５とが設けられる。
【００１８】
カバー飾り６０、７０は、可撓性を有するシート状の装飾物であり、装飾カバー５０に装着される。カバー飾り６０は、主に胸部５０Ｂに装着される水着を模した装飾物である。カバー飾り６０は、正面視で三角形状の被覆部６１と、被覆部６１から三方に夫々に延びる紐部６３，６４，６５と、紐部６３に設けられたペンダント状の装飾物６２とを有する。カバー飾り７０は、主に腰部５０Ｃに装着される水着を模した装飾物である。カバー飾り７０は、正面視で三角形状の被覆部７１と、被覆部７１から三方に夫々に延びる紐部７３，７４，７５と、紐部７４に設けられたペンダント状の装飾物７２とを有する。
【００１９】
装飾カバー５０は、正面視で可動機構４０の全体を覆うように、可動機構４０の前面側に装着される。可動機構４０は、装着された装飾カバー５０を動作させる機構である。可動機構４０は、胸部５０Ｂを中心に装飾カバー５０を動作させる上可動機構１００と、腰部５０Ｃを中心に装飾カバー５０を動作させる下可動機構２００とを有する。
【００２０】
（３．上可動機構１００の詳細構造）
図４〜図７を参照して、上可動機構１００の詳細構造を説明する。図４に示すように、上可動機構１００は、上基部１０１、上支持部１０２、首支持部１０３、上作動部１０４等を含む。上基部１０１は、上下方向に延びる板状である。上基部１０１の前面側に、上支持部１０２、首支持部１０３、上作動部１０４等が設けられる。上支持部１０２は、胸部５０Ｂの背面に面接触して支持する板状部材である。なお、上支持部１０２は、図４のみに図示され、他の図では省略されている。首支持部１０３は、首部５０Ａを可動支持する機構である。上作動部１０４は、胸部５０Ｂを可動支持しつつ動作させる機構である。
【００２１】
図５〜図７に示すように、首支持部１０３は、支持軸１１０、可動アーム１２０、巻バネ１２８等を含む。支持軸１１０は、上基部１０１の上端部前側に配置された十字状の部材であり、第一軸１１０Ａ及び第二軸１１０Ｂを有する。第一軸１１０Ａは、左右方向に延びる円柱状である。第一軸１１０Ａの左端部及び右端部は、上基部１０１から前方に延びる支持板１１１，１１２の各支持穴に夫々挿入される。これにより支持軸１１０は、第一軸１１０Ａを中心として（即ち、左右方向に延びる軸線を中心として）、回転可能に支持される。
【００２２】
第一軸１１０Ａの左右方向略中心には、第二軸１１０Ｂが設けられている。第二軸１１０Ｂは、第一軸１１０Ａの軸線と直交して延びる円柱状の部材であり、第一軸１１０Ａから径方向の両側に突出する。本例では、第二軸１１０Ｂの両端部が、第一軸１１０Ａの上側及び下側に突出する。
【００２３】
可動アーム１２０は、支持板１２１，１２２及び延設部１２３を含む。支持板１２１，１２２は、支持軸１１０を挟んで上下両側に対向配置され、且つ互いに連結された板状部材である。第二軸１１０Ｂの両端部は、支持板１２１，１２２の各支持穴に夫々挿入される。これにより可動アーム１２０は、第二軸１１０Ｂを中心として（即ち、左右方向と直交する軸線を中心として）、回転可能に支持される。
【００２４】
延設部１２３は、支持板１２１の上側から右前方に延びる部位である。支持板１２１には、連結フック１２４、連結穴１２５，１２６、及びバネ係止部１２７が設けられる。連結穴１２５は、延設部１２３の左後端に設けられる。連結穴１２６は、延設部１２３の右前端に設けられる。連結フック１２４は、連結穴１２５の右上側に設けられる。バネ係止部１２７は、連結穴１２６の右後側に設けられる。上基部１０１の右上端には、バネ係止部１１３が設けられる。巻バネ１２８の両端部は、バネ係止部１２７とバネ係止部１１３とに架け渡される。巻バネ１２８の弾性力によって、バネ係止部１２７はバネ係止部１１３に向けて付勢される。
【００２５】
上記の構造により、可動アーム１２０は正面視で、第一軸１１０Ａを中心として上下方向に回動可能であり、且つ第二軸１１０Ｂを中心として左右方向に回動可能である。巻バネ１２８の弾性力よりも大きい外力が可動アーム１２０に作用していない場合、可動アーム１２０は基準位置（図５〜図７参照）に保持される。詳細には、巻バネ１２８が前後方向に延びる位置まで収縮すると、上基部１０１に設けられた規制部（図示外）が、支持板１２１の後端部に対して左側及び下側から接触する。
【００２６】
これにより可動アーム１２０は、平面視で反時計回り方向に回転することが規制され、且つ左側面視で反時計回り方向に回転することが規制されて、基準位置に位置決めされる。尚、巻バネ１２８の弾性力よりも大きい外力が可動アーム１２０に作用した場合、可動アーム１２０はその外力に応じて基準位置よりも、正面視で左側及び下側の少なくとも一つに回動可能である。この場合、可動アーム１２０に作用する外力が消失すると、可動アーム１２０は巻バネ１２８の弾性力によって基準位置に復帰する。
【００２７】
図５〜図７に示すように、上作動部１０４は、支持軸１３０、可動アーム１４０、連動部１５０，１５５、第一駆動モータ１６０、第二駆動モータ１７０、装着部１８０等を含む。支持軸１３０は、上基部１０１の前面側且つ首支持部１０３の下側に配置された十字状の部材であり、第一軸１３０Ａ及び第二軸１３０Ｂを有する。第一軸１３０Ａは、左右方向に延びる円柱状である。第一軸１３０Ａの左端部及び右端部は、上基部１０１から前方に延びる支持板１３１，１３２の各支持穴に夫々挿入される。これにより支持軸１３０は、第一軸１３０Ａを中心として（即ち、左右方向に延びる軸線を中心として）、回転可能に支持される。
【００２８】
第一軸１３０Ａの左右方向略中心には、第二軸１３０Ｂが設けられている。第二軸１３０Ｂは、第一軸１３０Ａの軸線と直交して延びる円柱状の部材であり、第一軸１３０Ａから径方向の両側に突出する。本例では、第二軸１３０Ｂの両端部が、第一軸１３０Ａの上側及び下側に突出する。
【００２９】
可動アーム１４０は、支持板１４１，１４２、第一作用部１４３、第一溝部１４４（図８参照）、延設部１４５、第二作用部１４６、第二溝部１４７、センサ設置部１４８等を含む。支持板１４１，１４２は、支持軸１３０を挟んで上下両側に対向配置され、且つ互いに連結された板状部材である。第二軸１３０Ｂの両端部は、支持板１４１，１４２の各支持穴に夫々挿入される。これにより可動アーム１４０は、第二軸１３０Ｂを中心として（即ち、左右方向と直交する軸線を中心として）、回転可能に支持される。
【００３０】
第一作用部１４３は、支持板１４２の前側に設けられた、下方に開口する箱状である。第一溝部１４４は、第一作用部１４３の下面から下方に延びる周壁で囲まれた溝である（図１１参照）。第一溝部１４４は、第一作用部１４３の下方に露出し、且つ第二軸１３０Ｂの軸線と直交する方向（図１１の状態Ｔ１１では、前後方向）に延びる。即ち第一溝部１４４は、その長手方向の延長線が第二軸１３０Ｂの軸線と直交するように、第二軸１３０Ｂに向けて延びる。
【００３１】
延設部１４５は、第一作用部１４３の左側から前側下方に延びる部位である。第二作用部１４６は、延設部１４５の下端部に設けられる。第二溝部１４７は、第二作用部１４６を左右方向に貫通する溝である。第二溝部１４７は、第一軸１３０Ａの軸線と直交する方向（本例では前下方）に延びる。即ち第二溝部１４７は、その長手方向の延長線が第一軸１３０Ａの軸線と直交するように、第一軸１３０Ａに向けて延びる。センサ設置部１４８は、第一作用部１４３から右側に延びる部位である。
【００３２】
連動部１５０は、第二軸１３０Ｂの上端部から、支持板１４１に沿って前方に延びる板状部材である。連動部１５０の前端部は、支持板１４１の前側で下方に屈曲して、第一作用部１４３の上側に配置される。連動部１５０の前端部には、右方向に突出する第一検出板１５１が設けられる。センサ設置部１４８の上面には、第一検出板１５１を検出可能な透過型センサである第一センサ１５２が設けられる。第一センサ１５２は可動アーム１４０と直接連結されているため、可動アーム１４０の回転と共に第一センサ１５２も移動する。
【００３３】
連動部１５０の後端部は、第二軸１３０Ｂの上端部に固定されている。従って、第二軸１３０Ｂが第一軸１３０Ａの周方向に沿って回転すると（つまり、可動アーム１４０が第一軸１３０Ａを中心に回転すると）、連動部１５０は第二軸１３０Ｂと共に回転する。一方、連動部１５０は可動アーム１４０と直接連結されていない。従って、可動アーム１４０が第二軸１３０Ｂを中心に回転しても、連動部１５０は回転しない。
【００３４】
第一駆動モータ１６０は、第一作用部１４３の後下側に設けられる。第一駆動モータ１６０の回転軸は、第一駆動モータ１６０の上側に設けられたギア１６１の回転中心に連結される。ギア１６１は、ギア１６１の前側且つ第一作用部１４３の下側に設けられたギア１６２に噛み合う。ギア１６２の回転中心を通る回転軸Ｃ１（図１１参照）は、上下方向に延びる第二軸１３０Ｂの軸線と平行である。
【００３５】
ギア１６２には、その上面から突出する円筒状の作用ピン１６３が設けられる。作用ピン１６３は、回転軸Ｃ１よりも径方向外側に設けられ、且つ回転軸Ｃ１と平行に延び、第一溝部１４４の短手方向長さよりも小径である。ギア１６２が回転軸Ｃ１を中心に回転した場合、作用ピン１６３は回転軸Ｃ１の周囲で円軌道を描くように回転する。作用ピン１６３の上端部は、第一溝部１４４内に下方から挿入される。
【００３６】
連動部１５５は、第一軸１３０Ａの右端部から前側下方に延びる板状部材である。連動部１５５の下端部には、下方向に突出する第二検出板１５６が設けられる。第一駆動モータ１６０の右側には、第二検出板１５６を検出可能な透過型センサである第二センサ１５７が設けられる。連動部１５５の後端部は、第一軸１３０Ａの右端部に固定されている。従って、可動アーム１４０が第一軸１３０Ａを中心に回転すると、連動部１５５は第一軸１３０Ａと共に回転する。一方、連動部１５５は可動アーム１４０と直接連結されていない。従って、可動アーム１４０が第二軸１３０Ｂを中心に回転しても、連動部１５５は回転しない。
【００３７】
第二駆動モータ１７０は、第二作用部１４６の右後下方に設けられる。第二駆動モータ１７０の回転軸は、第二駆動モータ１７０の左側に設けられたギア１７１の回転中心に連結される。ギア１７１は、ギア１７１の前方上側且つ第二作用部１４６の右側に設けられたギア１７２に噛み合う。ギア１７２の回転中心を通る回転軸Ｃ２（図１４参照）は、左右方向に延びる第一軸１３０Ａの軸線と平行である。
【００３８】
ギア１７２には、その左面から突出する円筒状の作用ピン１７３が設けられる。作用ピン１７３は、回転軸Ｃ２よりも径方向外側に設けられ、且つ回転軸Ｃ２と平行に延び、第二溝部１４７の短手方向長さよりも小径である。ギア１７２が回転軸Ｃ２を中心に回転した場合、作用ピン１７３は回転軸Ｃ２の周囲で円軌道を描くように回転する。作用ピン１７３の左端部は、第二溝部１４７内に右方から挿入される。
【００３９】
装着部１８０は、第二作用部１４６の前端部の左上側に設けられ、支持板１８１及び係止片１８２を含む。支持板１８１は、前側に若干突出するように丸みを帯びた、正面視で略円形の板状部材である。支持板１８１の正面視中央には、前後方向に貫通する開口１８１Ａが設けられている。係止片１８２は、開口１８１Ａを介して支持板１８１の前方に突出する突出片である。
【００４０】
先述の上支持部１０２（図４参照）は、装着部１８０の右下側にある。上支持部１０２の右端部に、連結フック１８６が設けられる。第一駆動モータ１６０の後側に、連結フック１８５が設けられる。上基部１０１の下端部には、連結部１９１，１９２が左右に並んで設けられる。連結部１９１は、左下方に延びる部位である。連結部１９２は、連結部１９１の右側から前方に突出する部位である。
【００４１】
（４．下可動機構２００の詳細構造）
図８〜図１０を参照して、下可動機構２００の詳細構造を説明する。図８に示すように、下可動機構２００は、下基部２０１、下支持部２０２、下作動部２０３等を含む。下基部２０１は、上下方向に延びる板状である。下基部２０１の前面側に、下支持部２０２、下作動部２０３等が設けられる。
【００４２】
図８及び図９に示すように、下基部２０１は、支持板２１１、連結部２１２、支持柱２１３、及び支持部２１４を含む。支持板２１１は、下基部２０１の左半分を占め、且つ上下方向に延びる。連結部２１２は、下基部２０１の右上端部に設けられ、支持板２１１の右側から前方に延びる部位である。支持柱２１３は、連結部２１２の下側に設けられ、且つ連結部２１２よりも前方に延びる角筒状である。支持部２１４は、支持板２１１の下端部から前方に突出する板状である。
【００４３】
図８に示すように、下支持部２０２は、装飾カバー５０の下部に対応する形状を有する板状部材である。下支持部２０２の前面は、支持面２２０Ａ，２２０Ｂ，２２０Ｃを含む。支持面２２０Ａは、腰部５０Ｃの背面に面接触して支持する。支持面２２０Ｂは、支持面２２０Ａの左下部から左下方に延び、左太腿部５０Ｄの背面に面接触して支持する。支持面２２０Ｃは、支持面２２０Ａの右下部から下方に延び、右大腿部５０Ｅの背面に面接触して支持する。
【００４４】
下支持部２０２における支持面２２０Ａの下端部中央には、後方に凹む凹部２２１が設けられる。凹部２２１の内部に、連結フック２２２が設けられる。下支持部２０２の左上後方の端部には、連結穴２２３が設けられる。下支持部２０２における支持面２２０Ａの左側且つ支持面２２０Ｂの上側には、後方に凹む凹部２２４が設けられる。凹部２２４には、連結穴２２５が設けられる。下支持部２０２における凹部２２４の上側には、後方に凹む凹部２２７が設けられる。下支持部２０２における支持面２２０Ａの右端部には、後方に凹む凹部２２８，２２９が上下方向に並んで設けられる。凹部２２７〜２２９の各々には、図示外の連結穴が設けられる。
【００４５】
図９及び図１０に示すように、下作動部２０３は、下支持部２０２を可動支持しつつ動作させる機構である。下作動部２０３は、下基部２０１と下支持部２０２との間に設けられ、可動アーム２３０、固定板２４０、作用板２５０、巻バネ２６０、第三駆動モータ２７０等を含む。可動アーム２３０は、支持柱２３１〜２３５，延設部２３６、バネ受部２３７、及び一対の係止部２３８を含む。
【００４６】
支持柱２３１は、可動アーム２３０の右端部に設けられた、上下方向に延びる柱状体である。支持柱２３２は、支持柱２３１の上端部から、若干上側に傾斜するように左後方に延びる柱状体である。支持柱２３３は、支持柱２３１の下端部から、支持柱２３２と並んで延びる柱状体である。支持柱２３５は、支持柱２３３の後端部から支持柱２３２の後端部に向かって、若干右側に傾斜するように上方に延びる柱状体である。支持柱２３４は、支持柱２３１と支持柱２３５との間に設けられ、且つ支持柱２３２と支持柱２３３とに架設される。支持柱２３４は、若干右側に傾斜するように上方に延びる円柱状である。
【００４７】
延設部２３６は、支持柱２３５の下部から、若干上側に傾斜するように左方に延びる板状である。バネ受部２３７は、延設部２３６において前方に凹み、且つ後方に開口する有底円筒状の部位である。一対の係止部２３８は、支持柱２３５の右面側に上下方向に並んで設けられた、前方に突出する突出片である。上側の係止部２３８は、支持柱２３２の下面に沿って前方に突出する。下側の係止部２３８は、支持柱２３３の上面に沿って前方に突出する。先述の下支持部２０２（図８参照）は、各凹部２２７〜２２９の連結穴を介して、支持柱２３１の前面及びバネ受部２３７の前側にネジ止めされる。
【００４８】
支持柱２３４は、その上下両端部に軸受２４５が夫々装着された状態で、固定板２４０によって支持柱２１３の前面に固定される。支持柱２３４が各軸受２４５によって回転自在に支持されるため、可動アーム２３０は支持柱２３４を中心に回転可能である。固定板２４０の左端辺は、後方に向かって突出し、その後端に係止面２４１が設けられる。係止面２４１は、一対の係止部２３８に対して前側から対向する。
【００４９】
作用板２５０は、バネ受部２３７の左下側に固定された板状部材である。作用板２５０の前面下部には、作用面２５１が設けられる。作用面２５１は、バネ受部２３７の下側で略左右方向に延び、且つ前側を向く。作用板２５０から下方に延びる柱状体の下端部に、第三検出板２５２が設けられる。支持部２１４上の左端部には、第三検出板２５２を検出可能な透過型センサである第三センサ２５３が設けられる。
【００５０】
支持板２１１には、前方に突出する周壁で囲まれたバネ受部２１５が設けられる。バネ受部２１５は、バネ受部２３７と対向する位置に設けられた、前方に開口する有底円筒状の部位である。巻バネ２６０は、バネ受部２１５とバネ受部２３７との間に配置される。詳細には、巻バネ２６０の前端部は、バネ受部２３７内に後方から収容される。巻バネ２６０の後端部は、バネ受部２１５内に前方から収容される。巻バネ２６０の弾性力によって、バネ受部２３７はバネ受部２１５とは反対側である前側に向けて付勢される。
【００５１】
巻バネ２６０の弾性力よりも大きい外力が可動アーム２３０に作用していない場合、可動アーム２３０は進出位置（後述の図１７、図１８参照）に保持される。詳細には、可動アーム２３０は、支持柱２３４の軸線方向上側から見て、巻バネ２６０の弾性力に応じて支持柱２３４を中心に反時計回り方向に回転する。これに伴って、一対の係止部２３８が前側に移動すると、係止面２４１に接触する。
【００５２】
これにより可動アーム２３０は、支持柱２３４の軸線方向上側から見て反時計回り方向に回転することが規制されて、進出位置に位置決めされる。尚、巻バネ２６０の弾性力よりも大きい外力が可動アーム２３０に作用した場合、可動アーム２３０はその外力に応じて進出位置よりも、支持柱２３４の軸線方向上側から見て時計回り方向に回転可能である。この場合、可動アーム２３０に作用する外力が消失すると、可動アーム２３０は巻バネ２６０の弾性力によって進出位置に復帰する。
【００５３】
第三駆動モータ２７０は、支持部２１４におけるバネ受部２１５の下側に設けられる。第三駆動モータ２７０の回転軸は、第三駆動モータ２７０の右上側に設けられたギア２７１の回転中心に連結される。ギア２７１は、ギア２７１の左前側に設けられたギア２７２に噛み合う。ギア２７２の回転中心を通る回転軸Ｃ３（図１６参照）は、若干右側に傾斜するように上方に延びるため、支持柱２３４の軸線と平行である。
【００５４】
ギア２７２には、その上面から突出する円筒状の作用ピン２７３が設けられる。作用ピン２７３は、回転軸Ｃ３よりも径方向外側に設けられ、且つ作用面２５１と同じ高さ位置まで、回転軸Ｃ３と平行に延びる。ギア２７２が回転軸Ｃ３を中心に回転した場合、作用ピン２７３は回転軸Ｃ３の周囲で円軌道を描くように回転する。作用面２５１は、作用ピン１７３の回転軌跡の範囲内にある。
【００５５】
（５．可動役物３０の組み付け構造）
図３及び図４を参照して、可動役物３０の組み付け構造を説明する。先述の連結部１９１，１９２（図５〜図７参照）は、支持板２１１及び連結部２１２（図８、図９参照）の各上端部に前側から重ね合わされた状態で、ネジ止めで夫々固定される。これにより、上可動機構１００及び下可動機構２００が上下方向に並んで連結され、可動機構４０が一体に構成される。
【００５６】
装飾カバー５０は、可動機構４０の前面側から装着される。首部５０Ａの背面側には、図示外のネジ穴が連結穴１２５，１２６と対応する二箇所に設けられる。連結穴１２５，１２６に夫々挿入されたネジが首部５０Ａの各ネジ穴に螺合されることで、首部５０Ａは首支持部１０３の前側に固定される。
【００５７】
胸部５０Ｂのうちで連結穴５４よりも右側の部分が、上支持部１０２によって背面側から支持される。支持板１８１（図６、図７参照）は、開口１８１Ａ（図６、図７参照）及び連結穴５４が連通するように、胸部５０Ｂの背面に固定される。係止片１８２（図６、図７参照）は、開口１８１Ａ及び連結穴５４を介して、胸部５０Ｂの前側に突出する。胸部５０Ｂにおける連結穴５４の縁部は、係止片１８２と支持板１８１との間で挟持される。これにより、胸部５０Ｂは上作動部１０４の前側に固定される。
【００５８】
腰部５０Ｃ、左太腿部５０Ｄ、及び右大腿部５０Ｅは、下支持部２０２の支持面２２０Ａ〜２２０Ｃ（図８参照）によって夫々背面側から支持される。腰部５０Ｃの背面側には、図示外のネジ穴が連結穴２２３，２２５と対応する二箇所に設けられる。連結穴２２３，２２５に夫々挿入されたネジが腰部５０Ｃの各ネジ穴に螺合されることで、腰部５０Ｃ、左太腿部５０Ｄ、及び右大腿部５０Ｅは、下作動部２０３の前側に固定される。
【００５９】
カバー飾り６０は、被覆部６１が連結穴５４を覆うように、胸部５０Ｂの前面側に装着される。紐部６３は被覆部６１から首部５０Ａに向けて延びる。紐部６３の先端部は、固定具６３Ａを介して連結フック１２４に連結される。装飾物６２には、その背面側に突出する連結ネジ（図示外）が設けられている。装飾物６２の連結ネジは、紐部６３を貫通してネジ穴５２に螺合される。紐部６４は、被覆部６１から胸部５０Ｂの左後方に向けて延びる。紐部６４の先端部は、固定具６４Ａを介して連結フック１８５に連結される。紐部６５は被覆部６１から胸部５０Ｂの右後方に向けて延びる。紐部６５の先端部は、固定具６５Ａを介して連結フック１８６に連結される。これによりカバー飾り６０は、ネジ穴５２及び連結穴５４を隠蔽した状態で、装飾カバー５０及び可動機構４０に固定される。
【００６０】
カバー飾り７０は、被覆部７１が連結穴５５を覆うように、腰部５０Ｃの前面側に装着される。被覆部７１の背面側に設けられた突起部７１Ａが、連結フック２２２（図８参照）に連結される。紐部７３は、被覆部７１から左太腿部５０Ｄ及び右大腿部５０Ｅの間を経由して後下方に延びる。紐部７３の先端部は、固定具７３Ａを介して、下支持部２０２（図８参照）の背面下部に設けられた連結穴２２６（図１０参照）に連結される。
【００６１】
紐部７４は被覆部７１から腰部５０Ｃの左後方に向けて延びる。紐部７４の先端部は、固定具７４Ａを介して連結穴２２３に連結される。装飾物７２には、その背面側に突出する連結ネジ（図示外）が設けられている。装飾物７２の連結ネジは、紐部７４を貫通してネジ穴５３に螺合される。紐部７５は被覆部７１から腰部５０Ｃの右後方に向けて延びる。紐部７５の先端部は、固定具７５Ａを介して、支持柱２３１の背面下部に設けられた連結穴２３９（図１０参照）に連結される。これによりカバー飾り７０は、ネジ穴５３及び連結穴５５を隠蔽した状態で、装飾カバー５０及び可動機構４０に固定される。
【００６２】
（６．上可動機構１００の動作説明）
図５及び図１１〜図１５を参照して、上可動機構１００の動作態様を説明する。図１１は、平面視で上作動部１０４を模式的に示した状態遷移図であり、ギア１６２の回転方向を二点鎖線で示す。図１４は、左側面視で上作動部１０４を模式的に示した状態遷移図であり、ギア１７２の回転方向を二点鎖線で示す。
【００６３】
上作動部１０４が可動アーム１４０を左右方向に揺動させる動作を説明する。図１１の状態Ｔ１１に示すように、作用ピン１６３が回転軸Ｃ１の後方にある場合、作用ピン１６３は前後方向に延びる第一溝部１４４の後端近傍に配置される。このとき、図５に示すように、可動アーム１４０は第一軸１３０Ａの軸線と直交に延びる姿勢にある。第一センサ１５２は、第一検出板１５１を検出する位置にある。この状態を、可動アーム１４０の左右基準位置という。第一駆動モータ１６０がギア１６１（図６参照）を平面視で時計回り方向に回転させた場合、ギア１６２は平面視で反時計回り方向に回転する。これに伴って作用ピン１６３も、回転軸Ｃ１を中心に反時計回り方向に回転して、第一溝部１４４の周壁（即ち、第一溝部１４４の内面）に接触して付勢する。
【００６４】
図１１の状態Ｔ１２に示すように、作用ピン１６３が回転軸Ｃ１の後方から反時計回り方向に９０度回転すると、作用ピン１６３は第一溝部１４４の周壁に対して摺動しながら、回転軸Ｃ１の左方まで移動する。回転する作用ピン１６３の付勢力によって、第一溝部１４４が左側に移動する。可動アーム１４０は、第二軸１３０Ｂを中心として平面視で時計回り方向に回動する。尚、第一センサ１５２は可動アーム１４０と共に移動する一方、連動部１５０に設けられた第一検出板１５１の位置は変化しない。その結果、作用ピン１６３は、左前方に延びる第一溝部１４４内の長手方向中央部に配置される。図１２に示すように、可動アーム１４０は左右基準位置よりも左側に傾斜する。第一センサ１５２は、図５に示す位置よりも左側に移動するが、第一検出板１５１を検出する位置にある。
【００６５】
図示しないが、作用ピン１６３が回転軸Ｃ１の左方から反時計回り方向に９０度回転すると、作用ピン１６３は第一溝部１４４の周壁に対して摺動しながら、回転軸Ｃ１の前方まで移動する。回転する作用ピン１６３の付勢力によって、第一溝部１４４が右側に移動する。可動アーム１４０は、第二軸１３０Ｂを中心として平面視で反時計回り方向に回動する。その結果、作用ピン１６３は、前後方向に延びる第一溝部１４４の前端近傍に配置される。図５に示すように、可動アーム１４０は左右基準位置に戻る。
【００６６】
図１１の状態Ｔ１３に示すように、作用ピン１６３が回転軸Ｃ１の前方から反時計回り方向に９０度回転すると、作用ピン１６３は第一溝部１４４の周壁に対して摺動しながら、回転軸Ｃ１の右方まで移動する。回転する作用ピン１６３の付勢力によって、第一溝部１４４が右側に移動する。可動アーム１４０は、第二軸１３０Ｂを中心として平面視で時計回り方向に回動する。その結果、作用ピン１６３は、右前方に延びる第一溝部１４４内の長手方向中央部に配置される。図１３に示すように、可動アーム１４０は左右基準位置よりも右側に傾斜する。第一センサ１５２は、図５に示す位置よりも右側に移動して、第一検出板１５１を検出しない位置に配置される。
【００６７】
図示しないが、作用ピン１６３が回転軸Ｃ１の右方から反時計回り方向に９０度回転すると、作用ピン１６３は第一溝部１４４の周壁に対して摺動しながら、回転軸Ｃ１の後方まで移動する。回転する作用ピン１６３の付勢力によって、第一溝部１４４が左側に移動する。可動アーム１４０は、第二軸１３０Ｂを中心として平面視で時計回り方向に回動する。その結果、上作動部１０４は状態Ｔ１１に戻る。図５に示すように、可動アーム１４０は左右基準位置に戻る。
【００６８】
上作動部１０４が可動アーム１４０を上下方向に揺動させる動作を説明する。図１４の状態Ｔ２１に示すように、作用ピン１７３が回転軸Ｃ２の上方にある場合、作用ピン１７３は第二溝部１４７の上後端近傍に配置される。このとき、図５に示すように、可動アーム１４０に連結された第二軸１３０Ｂの軸線が上下方向に延びる状態にある。第二検出板１５６は、第二センサ１５７によって検出される位置にある。この状態を、可動アーム１４０の上下基準位置という。第二駆動モータ１７０がギア１７１を左側面視で時計回り方向に回転させた場合、ギア１７２は左側面視で反時計回り方向に回転する。これに伴って作用ピン１７３も、回転軸Ｃ２を中心に反時計回り方向に回転して、第二溝部１４７の周壁（即ち、第二溝部１４７の内面）に接触して付勢する。
【００６９】
図１４の状態Ｔ２２に示すように、作用ピン１７３が回転軸Ｃ２の上方から反時計回り方向に１８０度回転すると、作用ピン１７３は第二溝部１４７の周壁に対して摺動しながら、回転軸Ｃ２の下方まで移動する。回転する作用ピン１７３の付勢力によって、第二溝部１４７が下側に移動する。可動アーム１４０は、第一軸１３０Ａを中心として左側面視で時計回り方向に回動する。尚、連動部１５５に設けられた第二検出板１５６は可動アーム１４０と共に移動する一方、第二センサ１５７の位置は変化しない。その結果、作用ピン１７３は、第二溝部１４７の下前端近傍に配置される。図１５に示すように、可動アーム１４０は上下基準位置よりも下側に傾斜する。第二検出板１５６は、図５に示す位置よりも下側に移動して、第二センサ１５７によって検出されない位置に配置される。
【００７０】
図示しないが、作用ピン１７３が回転軸Ｃ２の下方から反時計回り方向に１８０度回転すると、作用ピン１７３は第二溝部１４７の周壁に沿って回転軸Ｃ２の上方まで移動する。回転する作用ピン１７３の付勢力によって、第二溝部１４７が上側に移動する。可動アーム１４０は、第一軸１３０Ａを中心として左側面視で反時計回り方向に回動する。その結果、上作動部１０４は状態Ｔ２１に戻る。図５に示すように、可動アーム１４０は上下基準位置に戻る。
【００７１】
このように、上作動部１０４は、第一駆動モータ１６０の駆動に応じて可動アーム１４０を左右方向に揺動でき、且つ第二駆動モータ１７０の駆動に応じて可動アーム１４０を上下方向に揺動できる。第一駆動モータ１６０が作用ピン１６３を平面視で時計回り方向に回転させた場合も、図１１と同様の態様で可動アーム１４０が左右方向に揺動する。第二駆動モータ１７０が作用ピン１７３を左側面視で時計回り方向に回転させた場合も、図１４と同様の態様で可動アーム１４０が上下方向に揺動する。
【００７２】
先述したように、可動アーム１４０の装着部１８０は、装飾カバー５０の胸部５０Ｂ（図３参照）に連結されている。従って、サブ基板のＣＰＵ（図示外）は、第一駆動モータ１６０及び第二駆動モータ１７０を駆動制御することで、装着部１８０を介して装飾カバー５０の各種動作を実行できる。
【００７３】
具体的には、サブ基板のＣＰＵは、作用ピン１６３の回転位置を制御することで胸部５０Ｂの左右方向位置を調整でき、且つ作用ピン１７３の回転位置を制御することで胸部５０Ｂの上下方向位置を調整できる。詳細には、サブ基板のＣＰＵは、第一センサ１５２による第一検出板１５１の検出状態に応じて、可動アーム１４０の左右基準位置を基準として、胸部５０Ｂの左右方向位置を正確に調整できる。サブ基板のＣＰＵは、第二センサ１５７による第二検出板１５６の検出状態に応じて、可動アーム１４０の上下基準位置を基準として、胸部５０Ｂの上下方向位置を正確に調整できる。
【００７４】
即ちサブ基板のＣＰＵは、作用ピン１６３及び作用ピン１７３の各回転位置を制御することで、胸部５０Ｂの三次元位置を調整できる。本例では、サブ基板のＣＰＵは、通常時、可動アーム１４０を左右基準位置及び上下基準位置に位置決めすることで、胸部５０Ｂをその初期位置（図３参照）に保持する。
【００７５】
例えば可動役物３０の演出動作時に、サブ基板のＣＰＵは、作用ピン１６３を連続して回転させる。これにより、可動アーム１４０が左右方向に往復揺動するため、胸部５０Ｂを左右方向に往復揺動できる。またサブ基板のＣＰＵは、作用ピン１７３を連続して回転させる。これにより、可動アーム１４０が上下方向に往復揺動するため、胸部５０Ｂを上下方向に往復揺動できる。更にサブ基板のＣＰＵは、作用ピン１６３及び作用ピン１７３を連続して回転させる。これにより、可動アーム１４０は左右基準位置及び上下基準位置を中心として周方向に揺動するため、胸部５０Ｂを正面視で周方向に揺動できる。
【００７６】
胸部５０Ｂが揺動又は変位されるのに伴って、胸部５０Ｂが首部５０Ａ（図３参照）から離れる方向に移動すると、巻バネ１２８（図６参照）の弾性力よりも大きな張力が、首部５０Ａに付与される場合がある。この場合、首部５０Ａに付与された張力によって巻バネ１２８が伸長し、可動アーム１２０が基準位置から張力の作用する方向に移動する。これにより、首部５０Ａに付与される張力が緩衝されるため、装飾カバー５０の破損や損傷を抑制できる。更に、首部５０Ａが胸部５０Ｂの動きと連動することで、可動役物３０はより人体の動作に近い演出を実現できる。
【００７７】
（７．下可動機構２００の動作説明）
図１６〜図１８を参照して、下可動機構２００の動作態様を説明する。図１６は、支持柱２３４の軸線方向上側から見た、下作動部２０３を模式的に示した状態遷移図であり、ギア２７２の回転方向を二点鎖線で示す。図１６の状態Ｔ３２，３３では、バネ受部２１５，２３７内にある巻バネ２６０を省略している。
【００７８】
図１７及び図１８に示すように、作用ピン２７３（図９参照）が作用面２５１を押圧していない場合、可動アーム２３０は巻バネ２６０の弾性力によって進出位置に保持される。第三検出板２５２は、第三センサ２５３よりも前側に配置されるため、第三センサ２５３によって検出されない位置にある。
【００７９】
支持柱２３４の軸線方向上側から見て、第三駆動モータ２７０がギア２７１を反時計回り方向に回転させた場合、ギア２７２は時計回り方向に回転する。これに伴って作用ピン２７３は、回転軸Ｃ３を中心に時計回り方向に回転する。図１６の状態Ｔ３１に示すように、作用ピン２７３が回転軸Ｃ３の左前方まで回転すると、作用ピン２７３は作用面２５１の左右方向略中央に接触する。更に作用ピン２７３が時計回り方向に回転すると、作用ピン２７３は巻バネ２６０の弾性力に抗って、作用面２５１を後方に押圧しながら、作用面２５１に沿って右側に摺動する。
【００８０】
図１６の状態Ｔ３２に示すように、作用ピン２７３が回転軸Ｃ３の左前方から時計回り方向に１２０度回転すると、作用ピン２７３は作用面２５１の右端部まで移動し、且つ回転軸Ｃ３の右後方に配置される。作用面２５１が後方に移動するのに伴って、可動アーム２３０が支持柱２３４を中心として時計回り方向に回動する。このとき、図９に示すように、バネ受部２３７がバネ受部２１５に近接する方向に移動するため、バネ受部２１５，２３７の間にある巻バネ２６０は縮む。第三検出板２５２は、図１７及び図１８に示す位置よりも後方に移動して、第三センサ２５３によって検出される位置に配置される。この状態を、可動アーム２３０の基準位置（図８、図９参照）という。
【００８１】
図１６の状態Ｔ３３に示すように、作用ピン２７３が回転軸Ｃ３の右後方から時計回り方向に回転すると、作用ピン２７３は作用面２５１から右側に離隔する。これにより、可動アーム２３０は巻バネ２６０の弾性力によって、支持柱２３４を中心として反時計回り方向に回動する。図１７及び図１８に示すように、可動アーム２３０は進出位置に戻る。
【００８２】
一方、支持柱２３４の軸線方向上側から見て、第三駆動モータ２７０がギア２７１を時計回り方向に回転させた場合、ギア２７２は反時計回り方向に回転する。図示しないが、作用ピン２７３が回転軸Ｃ３の右後方（状態Ｔ３２参照）から反時計回り方向に回転すると、作用ピン２７３は作用面２５１の右端部から左側に摺動する。このとき、作用面２５１が巻バネ２６０の弾性力によって前方に移動するのに伴って、可動アーム２３０が支持柱２３４を中心として反時計回り方向に回動する。作用ピン２７３が回転軸Ｃ３の右後方から反時計回り方向に１２０度回転すると（状態Ｔ３１参照）、作用ピン２７３は作用面２５１の左右方向略中央に接触まで移動し、且つ回転軸Ｃ３の左前方に配置される。これにより、可動アーム２３０は基準位置から進出位置に変位する。
【００８３】
このように、下作動部２０３は、第三駆動モータ２７０の駆動に応じて、可動アーム２３０を揺動できる。先述したように、下作動部２０３に固定された下支持部２０２は、装飾カバー５０の腰部５０Ｃ（図３参照）に連結されている。従って、サブ基板のＣＰＵは、第三駆動モータ２７０を駆動制御することで、下支持部２０２を介して装飾カバー５０の各種動作を実行できる。
【００８４】
具体的には、サブ基板のＣＰＵは、作用ピン２７３の回転位置を制御することで、腰部５０Ｃを位置調整できる。詳細には、サブ基板のＣＰＵは、第三センサ２５３による第三検出板２５２の検出状態に応じて、可動アーム２３０の基準位置を基準として、腰部５０Ｃを正確に位置調整できる。本例では、サブ基板のＣＰＵは、通常時、可動アーム１４０を基準位置（図８、図９参照）に位置決めすることで、腰部５０Ｃをその初期位置（図３参照）に保持する。
【００８５】
例えば可動役物３０の演出動作時に、サブ基板のＣＰＵは、作用ピン２７３を時計回り方向に回転させることで、可動アーム２３０を基準位置から進出位置（図１７、図１８参照）に変位させる。この場合、作用ピン２７３が作用面２５１から右側に離隔した時点で、可動アーム２３０は巻バネ２６０の弾性力によって瞬時に変位するため、腰部５０Ｃが高速で揺動する。あるいは、サブ基板のＣＰＵは、作用ピン２７３を回転軸Ｃ３の右後方から反時計回り方向に回転させることで、可動アーム２３０を基準位置から進出位置に変位させる。この場合、作用ピン２７３が作用面２５１に沿って左側に移動するのに伴って、可動アーム２３０は巻バネ２６０の弾性力によって徐々に変位するため、腰部５０Ｃが定速で揺動する。これにより、腰部５０Ｃが素早く捩じられる演出動作と、腰部５０Ｃがゆっくり捩じられる演出動作とを実現できる。
【００８６】
またサブ基板のＣＰＵは、回転軸Ｃ３の左前方から左後方までの範囲で（即ち、作用ピン２７３が作用面２５１に接触する範囲で）、作用ピン２７３を往復回動させてもよい。この場合、作用ピン２７３が作用面２５１に対して左右方向に摺動するため、下支持部２０２が往復揺動する。これにより、腰部５０Ｃを自然な動作で往復揺動する演出動作を実現できる。従って、可動役物３０はより人体の動作に近い演出を実現できる。
【００８７】
（８．本実施形態の作用効果及び変形例の例示）
本実施形態に係る可動役物３０では、所定方向に延びる可動アーム１４０が、支持軸１３０によって回転支持される。第一駆動モータ１６０は、ギア１６２を動作させることで、回転軸Ｃ１を中心として、上下方向と略平行な作用ピン１６３を回転させる。作用ピン１６３が第一溝部１４４の内部で回転することにより、可動アーム１４０は上下方向を回転中心として揺動する。第二駆動モータ１７０は、ギア１７２を動作させることで、回転軸Ｃ２を中心として、上下方向と直交する左右方向と略平行な作用ピン１７３を回転させる。作用ピン１７３が第二溝部１４７の内部で回転することにより、可動アーム１４０は左右方向を回転中心として揺動する。
【００８８】
従って可動役物３０は、可動アーム１４０を多様な方向に揺動できるため、より多彩な動きをする遊技演出を実行できる。例えば、本実施形態では、装飾カバー５０の胸部５０Ｂが、装着部１８０を介して可動アーム１４０に連結される。可動役物３０は、可動アーム１４０を介して胸部５０Ｂを多様な方向に揺動させることで、より人体の動作に近い演出を実現できる。
【００８９】
また可動役物３０では、互いに反対方向である時計回り方向及び反時計回り方向に移動する可動アーム２３０が、巻バネ２６０の弾性力によって反時計回り方向に付勢される。ギア２７２が回転軸Ｃ３を中心に回転するのに伴って、作用ピン２７３は互いに反対方向である時計回り方向及び反時計回り方向に回転することで、作用面２５１に接触する接触位置と作用面２５１から離隔する離隔位置とに変位する。作用ピン２７３が接触位置にある状態で時計回り方向に回転した場合、作用ピン２７３は巻バネ２６０の弾性力に抗って、可動アーム２３０を時計回り方向に移動させる。作用ピン２７３が接触位置にある状態で反時計回り方向に回転した場合、可動アーム２３０は巻バネ２６０の弾性力に従って、作用ピン２７３と共に反時計回り方向に移動する。
【００９０】
従って遊技部材は、巻バネ２６０の弾性力を利用して可動アーム２３０を移動できるため、より多彩な動きをする遊技演出を実行できる。例えば、本実施形態では、装飾カバー５０の腰部５０Ｃが、下支持部２０２を介して可動アーム２３０に連結される。可動役物３０は、可動アーム２３０を介して腰部５０Ｃを瞬時又は徐々に揺動させることで、より人体の動作に近い演出を実現できる。
【００９１】
上記実施形態において、可動役物３０は本発明の「遊技部材」に相当する。可動アーム２３０は本発明の「可動部」に相当する。巻バネ２６０は本発明の「弾性体」に相当する。回転軸Ｃ３は本発明の「回転軸」に相当する。作用ピン２７３は本発明の「作用部」に相当する。ギア２７２は本発明の「回転体」に相当する。係止面２４１は本発明の「位置保持部」に相当する。
【００９２】
本発明は、上記実施形態に限定されず、各種変形が可能である。可動役物３０は、上可動機構１００及び下可動機構２００の何れか一つを備えてもよい。即ち上可動機構１００及び下可動機構２００は、互いに独立した遊技部材でもよい。上可動機構１００では、可動アーム１４０によって動作される装飾体は、装飾カバー５０の胸部５０Ｂに限定されず、他の装飾体でもよい。下可動機構２００では、可動アーム２３０によって動作される装飾体は、装飾カバー５０の腰部５０Ｃに限定されず、他の装飾体でもよい。可動役物３０は、首支持部１０３を備えなくてもよい。
【００９３】
可動アーム１４０は、支持軸１３０に代えて、他の機構（例えば、各種方向に屈曲可能な弾性部材）によって回転支持されてもよいし、複数部材（例えば、複数の独立した軸）によって回転支持されてもよい。可動アーム２３０の移動方向は、作用ピン２７３の回転方向と異なってもよい。例えば可動アーム２３０の移動方向は、支持柱２３４を中心とした周方向に限定されず、直線方向又は曲線方向でもよい。巻バネ２６０に代えて、他の弾性体（例えば圧縮ゴム）を、バネ受部２１５，２３７の間に配置してもよい。第一駆動モータ１６０、第二駆動モータ１７０、及び第三駆動モータ２７０の少なくとも一つは、モータ以外の動力源でもよい。
【００９４】
尚、請求項、明細書及び図面に記載される全ての要素（例えば、画像表示装置、始動口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「遊技部材」は、ハード単体でも、ソフトを含んだものであっても構わない。 
【００９５】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００９６】
３０    可動役物
２３０    可動アーム
２４１    係止面
２６０    巻バネ
２７２    ギア
２７３    作用ピン
【図１】
0006432790.tif 000002
【図２】
0006432790.tif 000003
【図３】
0006432790.tif 000004
【図４】
0006432790.tif 000005
【図５】
0006432790.tif 000006
【図６】
0006432790.tif 000007
【図７】
0006432790.tif 000008
【図８】
0006432790.tif 000009
【図９】
0006432790.tif 000010
【図１０】
0006432790.tif 000011
【図１１】
0006432790.tif 000012
【図１２】
0006432790.tif 000013
【図１３】
0006432790.tif 000014
【図１４】
0006432790.tif 000015
【図１５】
0006432790.tif 000016
【図１６】
0006432790.tif 000017
【図１７】
0006432790.tif 000018
【図１８】
0006432790.tif 000019